(57)【要約】【課題】装着したタペストリー等のシート類が脱落し難く、かつ幅の異なる複数種類のシート類にも適用可能なシート類の垂れ下げ用筒軸１０，３０を提供すること。【解決手段】第１係止部１９を第２係止部２２に係止することにより、第１長尺フレーム１５の長手方向の開口端面１５ｄと第２長尺フレーム１６の長手方向の開口端面１６ｄを圧接して円筒体１１を構成する。タペストリー１４の上縁部の全長を第１長尺フレーム１５の長手方向の開口端面１５ｄと、この開口端面１５ｄに圧接する第２長尺フレーム１６の長手方向の開口端面１６ｄで強固に挟持できる。そのため、タペストリー１４が円筒体１１から脱落するのを防止できる。２本の円筒体１１をジョイント片３１で一本の円筒体１１に連結し、筒軸の長さを、装着するタペストリーに合わせて変更する。【選択図】図１２
2014188252.tif 000002
【特許請求の範囲】
【請求項１】
タペストリー、暖簾、スクリーン等のシート類の垂れ下げ用筒軸であって、
断面が半円形の第１長尺フレーム及び断面が半円形の第２長尺フレームを備え、
第１長尺フレーム又は第２長尺フレームの左右の開口端面における一方の角部にシート類のガイド用切欠部を形成するとともに、他方の角部に紐用切欠部を形成し、
第１長尺フレームの内面に第１係止部を設け
第２長尺フレームの内面に第２係止部を設け、
第１長尺フレームの長手方向の開口端面と第２長尺フレームの長手方向の開口端面を当接し、第１長尺フレームの第１係止部を第２長尺フレームの第２係止部に係止することにより、第１長尺フレームの長手方向の開口端面と第２長尺フレームの長手方向の開口端面を互いに圧接して長尺の円筒体を構成したことを特徴とするシート類の垂れ下げ用筒軸。
【請求項２】
略円筒形のジョイント片を備え、
このジョイント片の外周部に一端から他端に達する通し溝を形成し、通し溝がシート類のガイド用切欠部に対向するようにジョイント片の一端を一の前記円筒体の一端開口に嵌合し、ジョイント片の他端を他の前記円筒体の一端開口に嵌合して一の円筒体と他の円筒体を連結したことを特徴とする請求項１に記載のシート類の垂れ下げ用筒軸。
【請求項３】
前記ジョイント片の通し溝の両側であって一端と他端の中間位置に嵌合凸部を形成し、
第１長尺フレーム及び第２長尺フレームの左右の開口端面における一方の角部と他方の角部の中間位置に嵌合凹部を形成し、
通し溝がシート類のガイド用切欠部に対向するようにジョイント片の一端を一の円筒体の一端開口に嵌合するとともに、一方の嵌合凸部の略半分を一の円筒体の一端開口の一方の嵌合凹部に圧入し、他方の嵌合凸部の略半分を一方の円筒体の一端開口の他方の嵌合凹部に圧入し、
ジョイント片の他端を他の円筒体の一端開口に嵌合するとともに、一方の嵌合凸部の残余部分を他の円筒体の一端開口の一方の嵌合凹部に圧入し、他方の嵌合凸部の残余部分を他方の円筒体の一端開口の他方の嵌合凹部に圧入することにより、一の円筒体と他の円筒体を一本の円筒体に連結したことを特徴とする請求項２に記載のシート類の垂れ下げ用筒軸。
【発明の詳細な説明】
【技術分野】
【０００１】
本発明はタペストリー、暖簾、スクリーン等のシート類の垂れ下げ用筒軸に関する。
【背景技術】
【０００２】
この種の筒軸の一形式として、特開２０００−１２７７００号公報には、一端開口と他端開口に切欠部を形成するとともに、一端から他端開口に達する切溝を形成した紙製の円筒体を備えた筒軸が開示されている。この筒軸は、タペストリーの上縁部を切溝から円筒体内部に挿入し、吊紐の一端を円筒体の一端開口の切欠部に掛止し、吊紐の他端を円筒体の他端開口の切欠部に掛止し、筒対の一端開口と他端開口にキャップを被せて構成されている。
【先行技術文献】
【特許文献】
【０００３】
【特許文献１】特開２０００−１２７７００号公報
【発明の概要】
【発明が解決しようとする課題】
【０００４】
上記した従来の筒軸はタペストリーの上縁部を切溝の対向する長手方向の端面で挟持して筒軸に装着しているが、切溝の幅に比してタペストリーが薄いと円筒体からタペストリーが脱落するおそれがある。
また、円筒体の長さが一定であって変更できないので、円筒体の長さに合ったタペストリーにしか用いることができず、円筒体の長さに比べて幅が長すぎたり、短すぎるタペストリーには用いることができない。
本発明は係る問題点に鑑み、装着したタペストリー等のシート類が脱落し難く、かつ幅の異なる複数種類のシート類にも適用可能なシート類の垂れ下げ用筒軸を提供することを目的とする。
【課題を解決するための手段】
【０００５】
請求項１に記載の発明は、タペストリー、暖簾、スクリーン等のシート類の垂れ下げ用筒軸であって、
断面が半円形の第１長尺フレーム及び断面が半円形の第２長尺フレームを備え、
第１長尺フレーム又は第２長尺フレームの左右の開口端面における一方の角部にシート類のガイド用切欠部を形成するとともに、他方の角部に紐用切欠部を形成し、
第１長尺フレームの内面に第１係止部を設け
第２長尺フレームの内面に第２係止部を設け、
第１長尺フレームの長手方向の開口端面と第２長尺フレームの長手方向の開口端面を当接し、第１長尺フレームの第１係止部を第２長尺フレームの第２係止部に係止することにより、第１長尺フレームの長手方向の開口端面と第２長尺フレームの長手方向の開口端面を互いに圧接して長尺の円筒体を構成したことを特徴とする。
【０００６】
請求項１に記載のシート類の垂れ下げ用筒軸において、略円筒形のジョイント片を備え、
このジョイント片の外周部に一端から他端に達する通し溝を形成し、通し溝がシート類のガイド用切欠部に対向するようにジョイント片の一端を一の前記円筒体の一端開口に嵌合し、ジョイント片の他端を他の前記円筒体の一端開口に嵌合して一の円筒体と他の円筒体を連結したことを特徴とする。
【０００７】
請求項３に記載の発明は請求項２に記載のシート類の垂れ下げ用筒軸において、
前記ジョイント片の通し溝の両側であって一端と他端の中間位置に嵌合凸部を形成し、
第１長尺フレーム及び第２長尺フレームの左右の開口端面における一方の角部と他方の角部の中間位置に嵌合凹部を形成し、
通し溝がシート類のガイド用切欠部に対向するようにジョイント片の一端を一の円筒体の一端開口に嵌合するとともに、一方の嵌合凸部の略半分を一の円筒体の一端開口の一方の嵌合凹部に圧入し、他方の嵌合凸部の略半分を一方の円筒体の一端開口の他方の嵌合凹部に圧入し、
ジョイント片の他端を他の円筒体の一端開口に嵌合するとともに、一方の嵌合凸部の残余部分を他の円筒体の一端開口の一方の嵌合凹部に圧入し、他方の嵌合凸部の残余部分を他方の円筒体の一端開口の他方の嵌合凹部に圧入することにより、一の円筒体と他の円筒体を一本の円筒体に連結したことを特徴とする。
【発明の効果】
【０００８】
本発明に係る筒軸にタペストリーを装着するには、タペストリー等のシート類の上縁部又は下縁部の一方の角部を指で掴んで、円筒体の一端開口端面に形成されているシート類のガイド用切欠部から第１長尺フレームと第２長尺フレームの接合部に引っ張り入れることにより、シート類の上縁部又は下縁部の全長を第１長尺フレームの長手方向の開口端面と、この開口端面に接合する第２長尺フレームの長手方向の開口端面で挟持する。
【０００９】
吊紐を筒軸に装着するには、吊紐の一端を円筒体の一端開口端面に形成されている吊紐用切欠部に掛止し、吊紐の他端を円筒体の他端開口端面に形成されている吊紐用切欠部に掛止する。
【００１０】
請求項１に記載の発明によれば、第１係止部を第２係止部に係止することにより、第１長尺フレームの長手方向の開口端面と第２長尺フレームの長手方向の開口端面を圧接して円筒体を構成したので、タペストリー等のシート類の上縁部又は下縁部の全長を第１長尺フレームの長手方向の開口端面と、この開口端面に圧接する第２長尺フレームの長手方向の開口端面で強固に挟持できる。そのため、タペストリー等のシート類が円筒体から脱落するのを防止できる。
【００１１】
請求項２に記載の発明によれば、複数本の円筒体をジョイント片で一本の円筒体に連結できるので、筒軸の長さを変更できる。
しかして、円筒体を連結するジョイント片には通し溝を形成したので、タペストリー等のシート類の上縁部の一方の角部を指で掴んで、円筒体の一端開口端面に形成されているシート類ガイド用切欠部から第１長尺フレームと第２長尺フレームの接合部に引っ張り入れるとき、上縁部を通し溝に通すことができ、ジョイント片が障害とならない。従って、タペストリー等のシート類の全幅寸法に合わせて筒軸の長さを変更することにより、幅寸法の異なるシート類に用いることができる。
【００１２】
請求項３に記載の発明によれば、ジョイント片の通し溝の両側であって一端と他端の中間位置に嵌合凸部を形成し、第１長尺フレーム及び第２長尺フレームの左右の開口端面における一方の角部と他方の角部の中間位置に嵌合凹部を形成したので、嵌合凸部と嵌合凹部を嵌合させることにより、通し溝がシート類のガイド用切欠部に対向するように一の円筒体と他の円筒体をジョイント片で連結でき、連結作業が簡単になる。
【図面の簡単な説明】
【００１３】
【図１】本発明の第１実施例に係るタペストリーの垂れ下げ用筒軸を示す斜視図である。
【図２】同筒軸を構成する第１長尺フレームと第２長尺フレームの内面を示す斜視図である。
【図３】同第１長尺フレームの第１嵌合部を示す斜視図である。
【図４】同第１長尺フレームの第２嵌合部を示す斜視図である。
【図５】同第１長尺フレームの第１係止部を示す斜視図である。
【図６】同第２長尺フレームの第３嵌合部を示す斜視図である。
【図７】同第２長尺フレームの第４嵌合部を示す斜視図である。
【図８】同第２長尺フレームの第２係止部を示す斜視図である。
【図９】第１嵌合部と第３嵌合部の嵌合状態を示す断面図である。
【図１０】第２嵌合部と第４嵌合部の嵌合状態を示す断面図である。
【図１１】第１係止部と第２係止部の係止状態を示す断面図である。
【図１２】第１実施例に係る筒軸の円筒体にタペストリーを装着する手順を示す説明図である。
【図１３】本発明の第２実施例に係るタペストリーの垂れ下げ用筒軸を示す斜視図である。
【図１４】同筒軸を構成するジョイント片を示す斜視図である。
【図１５】同筒軸における２本の円筒体を連結する手順を示す説明図である。
【図１６】同筒軸における２本の円筒体を連結する手順を示す説明図である。
【実施例１】
【００１４】
以下に本発明を図面に基づき説明する。図１には本発明の第１実施例に係るタペストリーの垂れ下げ用筒軸１０が示されている。当該筒軸１０は上下２本の円筒体１１、一対のキャップ１２及び一本の吊紐１３を備え、上側の円筒体１１にタペストリー１４の上縁部が装着され、下側の円筒体１１にタペストリー１４の下縁部が装着されている。
【００１５】
各円筒体１１はプラスチックの射出成型品であって、図２に示すように、断面が半円形の第１長尺フレーム１５と第２長尺フレーム１６から構成されている。第１長尺フレーム１５の左側の開口端面の一方の角部にタペストリーのガイド用切欠部１５ａが形成され、他方の角部には吊紐用切欠部１５ｂが形成されている。また、開口端面の一方の角部と他方の角部の中間位置に嵌合凹部１５ｃが形成されている。この嵌合凹部１５ｃは開口端面から長手方向内側に延びるように形成されている。同様に、第１長尺フレーム１５の右側の開口端面にもガイド用切欠部１５ａと吊紐用切欠部１５ｂ及び嵌合凹部１５ｃが形成されている。
また、第２長尺フレームの左側の開口端面の一方の角部にタペストリーのガイド用切欠部１６ａが形成され、他方の角部には吊紐用切欠部１６ｂが形成されている。また、開口端面の両角部の中間位置に嵌合凹部１６ｃが形成されている。同様に、第２長尺フレームの右側の開口端面にもガイド用切欠部１６ａと吊紐用切欠部１６ｂ及び嵌合凹部１６ｃが形成されている。
【００１６】
第１長尺フレーム１５の内面の中央部には長手方向に沿って３個の第１嵌合部１７と、４個の第２嵌合部１８及び３個の第１係止部１９が並べて形成されている。図３に拡大して図示するように、第１嵌合部１７は円筒形に形成され、第１長尺フレーム１５の内面に凸設されている。
【００１７】
図４に拡大して図示するように、第２嵌合部１８は２個の挟持片１８ａと１個の嵌合片１８ｂ及び１個の支持片１８ｃから成り、２個の挟持片１８ａが一定の間隔で対面するように第１長尺フレーム１５の内面に凸設され、両挟持片１８ａの間に嵌合片１８ｂが両挟持片１８ａと一体に設けられている。また、支持片１８ｃは第１長尺フレーム１５の内面に凸設されるとともに、両挟持片１８ａと一体に設けられている。図５に示すように、第１係止部１９は第１長尺フレーム１５の内面に凸設され、先端にフック部１９ａが形成されている。
【００１８】
第２長尺フレーム１６の内面の中央部には３個の第３嵌合部２０と、４個の第４嵌合部２１及び３個の第２係止部２２が形成されている。図６に拡大して図示するように、第３嵌合部２０は円筒形に形成され、第２長尺フレーム１６の内面に凸設されている。第３嵌合部２０の外径は第１嵌合部１７の穴１７ａに嵌合するように定められている。
【００１９】
図７に拡大して図示するように、第４嵌合部２１は一個の嵌合片２１ａと一個の支持片２１ｂから成り、嵌合片２１ａと支持片２１ｂは第２長尺フレーム１６の内面に一体に凸設されている。嵌合片２１ａの中央部には切欠部２１ｃが形成されている。図８に拡大して図示するように、第２係止部２２は第２長尺フレーム１６の内面に凸設され、先端にフック部２２ａが形成されている。
【００２０】
円筒体１１は図９に示すように、第１嵌合部１７の穴１７ａに第３嵌合部２０を嵌合し、図１０に示すように、第２嵌合部１８の嵌合片１８ｂに第４嵌合部２１の切欠部２１ｃを嵌合して第４嵌合部２１の嵌合片２１ａを第２嵌合部１８の２個の挟持片１８ａで挟持し、図１１に示すように、第１係止部１９のフック部１９ａと第２係止部２２のフック部２２ａを係止することにより、第１長尺フレーム１５と第２長尺フレーム１６を円筒状に合体して構成されている。第１係止部１９のフック部１９ａと第２係止部２２のフック部２２ａの係止により、第１長尺フレーム１５の長手方向の開口端面１５ｄと第２長尺フレーム１６の長手方向の開口端面１６ｄが互いに圧接している。
【００２１】
タペストリー１４を筒軸１０に装着するには、図１２に示すように、タペストリー１４の上縁部又は下縁部の角部を指で掴み、円筒体１１の一端開口に形成されているガイド用切欠部１５ａ，１６ａから第１長尺フレーム１５と第２長尺フレーム１６の接合部１１ａに引っ張り入れる。タペストリー１４の上縁部又は下縁部の全長が接合部１１ａに入るまで上縁部又は下縁部の角部を引っ張り、第１長尺フレーム１５の長手方向の開口端面１５ｄと、この開口端面１５ｄに接合する第２長尺フレーム１６の長手方向の開口端面１６ｄで挟持する。吊紐１３は一端を上側の円筒体１１の一端開口に形成されている吊紐用切欠部１５ｂ，１６ｂに掛止し、他端を上側の円筒体１１の他端開口に形成されている吊紐用切欠部１５ｂ，１６ｂに掛止する。吊紐１３を上側の円筒体１１に掛止した後、上側及び下側の円筒体１１の開口端面にキャップ１２を被せる。
【００２２】
第１実施例に係るタペストリーの垂れ下げ用筒軸１０の構造は以上の通りであって、第１係止部１９を第２係止部２２に係止することにより、第１長尺フレーム１５の長手方向の開口端面１５ｄと第２長尺フレーム１６の長手方向の開口端面１６ｄを圧接して円筒体１１を構成したので、タペストリー１４の上縁部の全長を第１長尺フレーム１５の長手方向の開口端面１５ｄと、この開口端面１５ｄに圧接する第２長尺フレーム１６の長手方向の開口端面１６ｄで強固に挟持できる。そのため、タペストリー１４が円筒体１１から脱落するのを防止できる。
【実施例２】
【００２３】
本発明の第２実施例に係るタペストリーの垂れ下げ用筒軸３０を図１３に示す。当該タペストリー垂れ下げ用筒軸３０では、図１４に示すジョイント片３１によって２本の円筒体１１が一本に連結されている。ジョイント片３１は略円形を有し、外周部に一端から他端に達する通し溝３１ａが形成されている。また、ジョイント片３１の外周部には、通し溝３１ａの両側であって一端と他端の中間位置に嵌合凸部３１ｂが形成されている。この嵌合凸部３１ｂはジョイント片３１の外周部から凸設した支持片３１ｃと支持片３１ｃの先端に一体成形した嵌合片３１ｄから構成されている。
【００２４】
２本の円筒体１１を一本に連結するには、図１５及び図１６に示すように、通し溝３１ａがガイド用切欠部１５ａ，１６ａに対向するようにジョイント片３１の一端を一方の円筒体１１の一端開口に嵌合し、一方の嵌合凸部３１ｂの嵌合片３１ｄの略半分を一方の円筒体１１の一端開口の一方の嵌合凹部１５ｃに圧入する。嵌合凹部１５ｃの底面１５ｅの中央部には切欠部１５ｆが形成されているので、嵌合凸部３１ｂの支持片３１ｃを嵌合凹部１５ｃの切欠部１５ｆに挿入する。これにより、円筒体１１の嵌合凹部１５ｃの底面１５ｅがジョイント片３１の外周面と嵌合片３１ｄによって挟持される。同様にして、ジョイント片３１の他方の嵌合凸部３１ｂを一方の円筒体１１の他方の嵌合凹部１６ｃに嵌合する。
【００２５】
続いて、ジョイント片３１の他端を他方の円筒体１１の一端開口に嵌合し、一方の嵌合凸部３１ｂの嵌合片３１ｄの略半分を他方の円筒体１１の一端開口の一方の嵌合凹部１５ｃに圧入するとともに、ジョイント片３１の他方の嵌合凸部３１ｂを他方の円筒体１１の他方の嵌合凹部１６ｃに嵌合する。これにより、２本の円筒体１１が一本に連結されるので、タペストリー３２の上縁部又は下縁部の一方の角部を指で掴んで、円筒体１１の一端開口端面に形成されているガイド用切欠部１５ａ，１６ａから第１長尺フレーム１５と第２長尺フレーム１６の接合部１１ａに引っ張り入れる。２本の円筒体１１をジョイント片３１で連結したが、ジョイント片３１に通し溝３１ａを形成したので、タペストリー３２の上縁部又は下縁部を通し溝３１ａに通すことができ、タペストリー３２の上縁部又は下縁部の全長を第１長尺フレーム１５と第２長尺フレーム１６の接合部１１ａに引っ張り入れることができる。
なお、第２実施例に係るタペストリーの吊り下げ用筒軸３０の他の構成は第１実施例に係る筒軸１０と同じであるので、同一の構成要素に同一の符号を付して説明を省略する。
【００２６】
第２実施例に係るタペストリーの吊り下げ用筒軸３０によれば、２本の円筒体１１をジョイント片３１で一本の円筒体１１に連結したので、第１実施例に係るタペストリー１４の吊り下げ用筒軸１０に比べて２倍の幅のタペストリー３２を円筒体１１に装着できる。
【００２７】
ジョイント片３１の通し溝３１ａの両側であって一端と他端の中間位置に嵌合凸部３１ｂを形成し、第１長尺フレーム１５及び第２長尺フレーム１６の左右の開口端面における一方の角部と他方の角部の中間位置に嵌合凹部１５ｃ，１６ｃを形成したので、嵌合凸部３１ｂと嵌合凹部１５ｃ，１６ｃを嵌合させることにより、通し溝３１ａがガイド用切欠部１５ａ，１６ａに対向するように一の円筒体１１と他の円筒体１１をジョイント片３０で連結でき、連結作業が簡単になる。
なお、ジョイント片３１でさらに円筒体１１を連結することができ、筒軸の長さを、装着するタペストリーに合わせて変更できる。
【符号の説明】
【００２８】
１０，３０…タペストリーの吊り下げ用筒軸
１１…円筒体
１１ａ…接合部
１２…キャップ
１３…吊紐
１４，３２…タペストリー
１５…第１長尺フレーム
１５ａ…タペストリーのガイド用切欠部
１５ｂ…紐用切欠部
１５ｃ…嵌合凹部
１５ｄ…長手方向の開口端面
１６…第２長尺フレーム
１６ａ…タペストリーのガイド用切欠部
１６ｂ…紐用切欠部
１６ｃ…嵌合凹部
１６ｄ…長手方向の開口端面
１７…第１嵌合部
１８…第２嵌合部
１９…第１係止部
２０…第３嵌合部
２１…第４嵌合部
２２…第２係止部
３１…ジョイント片
３１ａ…通し溝
３１ｂ…嵌合凸部
【図１】
2014188252.tif 000003
【図２】
2014188252.tif 000004
【図３】
2014188252.tif 000005
【図４】
2014188252.tif 000006
【図５】
2014188252.tif 000007
【図６】
2014188252.tif 000008
【図７】
2014188252.tif 000009
【図８】
2014188252.tif 000010
【図９】
2014188252.tif 000011
【図１０】
2014188252.tif 000012
【図１１】
2014188252.tif 000013
【図１２】
2014188252.tif 000014
【図１３】
2014188252.tif 000015
【図１４】
2014188252.tif 000016
【図１５】
2014188252.tif 000017
【図１６】
2014188252.tif 000018